(57)【要約】  光断層撮影用のシステムが、蛍光タンパク質を中に有する標本に向かって励起光を投射するように適合された見かけの光源を含み、励起光が標本に進入し、標本内で固有光になり、固有光は、蛍光タンパク質からの蛍光を励起するように適合され、固有光および蛍光は、拡散性である。光断層撮影の方法は、見かけの光源を用いて励起光を生成するステップを含み、固有光および蛍光は、拡散性である。
2007528500.tif 000002
【特許請求の範囲】
【請求項１】
蛍光タンパク質を中に有する標本に向かって励起光を投射するように適合された見かけの光源を備え、前記励起光が前記標本に進入し、前記標本内で固有光になり、前記固有光が、前記蛍光タンパク質からの蛍光を励起するように適合され、前記固有光および前記蛍光が拡散性である光断層撮影用のシステム。
【請求項２】
前記励起光および前記蛍光のうち少なくとも１つが、可視波長範囲内の波長を有する、請求項１に記載のシステム。
【請求項３】
前記蛍光が、可視波長範囲内の波長を有する、請求項１に記載のシステム。
【請求項４】
前記蛍光が、可視波長範囲内の赤色部分の波長を有する、請求項１に記載のシステム。
【請求項５】
前記蛍光が、近赤外（ＮＩＲ）領域内の波長を有する、請求項１に記載のシステム。
【請求項６】
前記標本を出て行く前記固有光を受け取るように適合され、前記標本を出て行く前記蛍光を受け取るように適合され、前記受け取られた固有光を第１の画像情報に変換するようにさらに適合され、前記受け取られた蛍光を第２の画像情報に変換するようにさらに適合された光検出器と、
前記光検出器に結合され、光伝播モデルを生成するように適合されたイメージプロセッサであって、前記モデルが、拡散性媒体内での光伝播を予測するように適合され、さらに、前記イメージプロセッサが、前記第１の画像情報と前記第２の画像情報と前記光伝播モデルとを組み合わせるように適合され、前記蛍光タンパク質の画像を提供するようにさらに適合された、イメージプロセッサとをさらに含む、請求項１に記載のシステム。
【請求項７】
前記イメージプロセッサが、前記固有光および前記蛍光のうち少なくとも１つに関連する修正拡散係数を有する拡散方程式を使用する拡散方程式プロセッサを含む、請求項６に記載のシステム。
【請求項８】
前記光検出器が、標本に対する複数の光路上で前記固有光および蛍光を受け取るように選択的に移動可能である、請求項６に記載のシステム。
【請求項９】
標本に対する複数の光路上で、前記光検出器に前記固有光および蛍光を送るための光スキャナをさらに含む、請求項６に記載のシステム。
【請求項１０】
前記見かけの光源が、前記標本に向かって複数の光路上で前記励起光を導くように前記見かけの光源を選択的に移動するための光誘導デバイスを含む、請求項１に記載のシステム。
【請求項１１】
前記光誘導デバイスが、前記標本に向かって前記複数の光路を提供するように前記見かけの光源を選択的に移動するための光スイッチを含む、請求項１０に記載のシステム。
【請求項１２】
前記光誘導デバイスが、前記標本に向かって前記複数の光路を提供するように前記見かけの光源を選択的に移動するための、移動可能なミラーを含む、請求項１０に記載のシステム。
【請求項１３】
前記光誘導デバイスが、前記見かけの光源を、少なくとも１つの見かけの光源並進軸に沿って並進して選択的に移動するように適合される、請求項１０に記載のシステム。
【請求項１４】
前記標本が、前記標本に対する複数の光路上で前記励起光を提供するように選択的に移動可能である、請求項１に記載のシステム。
【請求項１５】
標本が、標本回転軸の周りで回転して選択的に移動可能である、請求項１４に記載のシステム。
【請求項１６】
標本が、少なくとも１つの標本並進軸に沿って並進して選択的に移動可能である、請求項１４に記載のシステム。
【請求項１７】
標本が、標本回転軸の周りで回転して選択的に移動可能であり、前記標本が、少なくとも１つの標本並進軸に沿って並進して選択的にさらに移動可能である、請求項１４に記載のシステム。
【請求項１８】
前記見かけの光源が、前記標本に向かって複数の光路上で前記励起光を導くように前記見かけの光源を選択的に移動するための光誘導デバイスを含み、前記標本が、前記標本に対する複数の光路上で前記励起光を提供するように選択的に移動可能である、請求項１に記載のシステム。
【請求項１９】
前記固有光が、徹照光として前記標本を通過する、請求項１に記載のシステム。
【請求項２０】
前記固有光が、反射光として前記標本から反射する、請求項１に記載のシステム。
【請求項２１】
光断層撮影の方法であって、蛍光タンパク質を中に有する標本に向かって前記励起光を投射するように適合された見かけの光源を用いて前記励起光を生成するステップを含み、前記励起光が前記標本に進入し、前記標本内で固有光になり、前記固有光が、前記蛍光タンパク質からの蛍光を励起するように適合され、前記固有光および前記蛍光が拡散性である方法。
【請求項２２】
前記励起光および前記蛍光のうち少なくとも１つが、可視波長範囲内の波長を有する、請求項２１に記載の方法。
【請求項２３】
前記蛍光が、可視波長範囲内の波長を有する、請求項２１に記載の方法。
【請求項２４】
前記蛍光が、可視波長範囲内の赤色部分の波長を有する、請求項２１に記載の方法。
【請求項２５】
前記蛍光が、近赤外（ＮＩＲ）領域内の波長を有する、請求項２１に記載の方法。
【請求項２６】
前記標本を出て行く前記固有光を受け取るステップと、
前記標本を出て行く前記蛍光を受け取るステップと、
前記受け取られた固有光を第１の画像情報に変換するステップと、
前記受け取られた蛍光を第２の画像情報に変換するステップと、
拡散性媒体内での光伝播を予測するように適合されたモデルを生成するステップと、
前記蛍光タンパク質の画像を提供するように、前記第１の画像情報と前記第２の画像情報と前記モデルとを組み合わせるステップとをさらに含む、請求項２１に記載の方法。
【請求項２７】
前記固有光を受け取る前記ステップ、および前記蛍光を受け取る前記ステップが、標本に対する複数の光路上で前記固有光および蛍光を受け取るように適合された、選択的に移動可能な光検出器で、前記固有光を受け取るステップと、前記蛍光を受け取るステップとを含む、請求項２６に記載の方法。
【請求項２８】
前記モデルが、前記固有光および前記蛍光のうち少なくとも１つに関連する修正拡散係数を有する拡散方程式に対する解に従って生成される、請求項２６に記載の方法。
【請求項２９】
前記標本に向かって複数の光路上で前記励起光を導くように前記見かけの光源を選択的に移動するステップをさらに含む、請求項２１に記載の方法。
【請求項３０】
前記見かけの光源が、前記見かけの光源を選択的に移動するための光スイッチを含む、請求項２９に記載の方法。
【請求項３１】
前記見かけの光源が、前記見かけの光源を選択的に移動するための、選択的に移動可能なミラーを含む、請求項２９に記載の方法。
【請求項３２】
前記見かけの光源を選択的に移動する前記ステップが、少なくとも１つの見かけの光源並進軸に沿って並進して、前記見かけの光源を選択的に移動するステップを含む、請求項２９に記載の方法。
【請求項３３】
標本に対する複数の光路上で前記励起光を提供するように、前記標本を選択的に移動するステップをさらに含む、請求項２１に記載の方法。
【請求項３４】
前記標本を選択的に移動する前記ステップが、標本回転軸の周りで回転して、前記標本を選択的に移動するステップを含む、請求項３３に記載の方法。
【請求項３５】
前記標本を選択的に移動する前記ステップが、少なくとも１つの標本並進軸に沿って並進して、前記標本を選択的に移動するステップを含む、請求項３３に記載の方法。
【請求項３６】
前記標本を選択的に移動する前記ステップが、
標本回転軸の周りで回転して、前記標本を選択的に移動するステップと、
少なくとも１つの標本並進軸に沿って並進して、前記標本を選択的に移動するステップとを含む、請求項３３に記載の方法。
【請求項３７】
前記標本に向かって複数の光路上で前記励起光を導くように前記見かけの光源を選択的に移動するステップと、
前記標本に対する別の複数の光路上で前記励起光を提供するように前記標本を選択的に移動するステップとをさらに含む、請求項２１に記載の方法。
【請求項３８】
前記固有光が、徹照光として前記標本を通過する、請求項２１に記載の方法。
【請求項３９】
前記固有光が、反射光として前記標本から反射する、請求項２１に記載の方法。
【請求項４０】
標本に向かって複数の光路を導くように見かけの光源を選択的に移動するための、少なくとも１つの選択的に移動可能な構成要素を備える光断層撮影用のシステム。
【請求項４１】
前記選択的に移動可能な構成要素が、少なくとも１つの選択的に移動可能なミラーを含む、請求項４０に記載のシステム。
【請求項４２】
前記選択的に移動可能な構成要素が、選択的に移動可能な構造を含む、請求項４０に記載のシステム。
【請求項４３】
前記選択的に移動可能な構造に結合された光ファイバをさらに含む、請求項４２に記載のシステム。
【発明の詳細な説明】
【技術分野】
【０００１】
本発明は、一般に光断層撮影に関し、より詳細には、蛍光タンパク質を使用して、生標本から定量的な３次元の分子および生物情報を抽出するための方法およびシステムに関する。
【背景技術】
【０００２】
蛍光タンパク質（ＦＰ）は、様々な生物医学的応用分野にとって重要なレポーター分子である。いくつかの既存の応用分野では、人工的なＦＰが、落射蛍光（ｅｐｉ−ｆｌｕｏｒｅｓｃｅｎｃｅ）、共焦点（顕微鏡法）、または反射（動物全体）撮像によって検出される。
【０００３】
落射蛍光、共焦点顕微鏡法は、標本に向かって投射された、または標本から反射されたコヒーレント（非拡散）光に依存する。顕微鏡法は、実質的にコヒーレントな光を必要とするため、この技法は、標本内に浅く（たとえば、１ｍｍ未満）撮像することが可能であるにすぎない。より深い撮像深さでは、光は拡散することが知られており、そのより深い撮像深さで顕微鏡法は無効になる。
【０００４】
反射蛍光撮像は、生体内の腫瘍、特に表面付近に、または外科的に露出された器官内に移植されたものを検出および追跡する上で有用であることが示されている。しかし、反射蛍光撮像は固有の制限を有する。というのは、得られた画像が、複数の深さからの蛍光信号の重ね合わせであり、それにより画像がぼける傾向があるからである。さらに、反射蛍光撮像は、断層撮影でなく、深さ情報を取り出さず、蛍光活性の絶対定量を可能にしない。これは、一部には生物組織内での非線形の光の減衰および伝播によるものであり、わずか数ミリメートルの深さで、反射蛍光撮像を適用する可能性を半定量的撮像に制限する。
【０００５】
組織内のより深いところで光学的シグネチャを撮像することは、しばしば、先進の光励起／光検出装置および技法の適用、ならびに様々な投射で獲得されたデータを組み合わせるための断層撮影原理の使用を必要とする。回折光源を用いた撮像の進歩により、内在的に、または外来的に与えられた光コントラストを使用して組織を調査するいくつかの研究が行われている。具体的には、拡散光断層撮影（ＤＯＴ）は、拡散性媒体に関連する断層撮影画像を、その拡散性媒体内での吸収または散乱の存在下で提供することができる技法である。たとえば、ＤＯＴは、脳血流撮像（ｃｅｒｅｂｒａｌ  ｈｅｍｏｄｙｎａｍｉｃ  ｉｍａｇｉｎｇ）および乳房組織の撮像に適用されている。１つの例示的なＤＯＴ法およびシステムは、たとえば、その出願が本発明の譲受人に譲渡される、２００４年２月５日に出願されたＶａｓｉｌｉｓ  ＮｔｚｉａｃｈｒｉｓｔｏｓおよびＪｏｒｇｅ  Ｒｉｐｏｌｌによる「Ｍｅｔｈｏｄ  ａｎｄ  Ｓｙｓｔｅｍ  ｆｏｒ  Ｆｒｅｅ  Ｓｐａｃｅ  Ｏｐｔｉｃａｌ  Ｔｏｍｏｇｒａｐｈｙ  ｏｆ  Ｄｉｆｆｕｓｅ  Ｍｅｄｉａ」という名称の国際特許出願ＰＣＴ／ＵＳＯ４／０３２２９に述べられている。
【０００６】
近赤外範囲内の波長を有する光は、いわゆる「近赤外ウィンドウ（ｎｅａｒ−ｉｎｆｒａｒｅｄ  ｗｉｎｄｏｗ）」内で組織吸収が少ないため、数センチメートル程度の距離について、組織を介して伝播することができることが示されている。近赤外（ＮＩＲ）ウィンドウにより、生標本内部での特定の生化学的事象を視覚化するためのＮＩＲ蛍光技法の開発が可能になった。
【０００７】
また、ＮＩＲ蛍光信号を処理するための様々な関連する方法も開発されている。具体的には、適切な撮像システムの開発により、蛍光分子断層撮影（ＦＭＴ）、すなわちＮＩＲ蛍光プローブまたはマーカを使用して深い組織内で分子シグネチャを解像する技法の適用が可能になった。深部腫瘍内の酵素活性の生体内３次元撮像に使用されるＦＭＴが実証されている。
【０００８】
従来のＮＩＲ光断層撮影における一般的な仮定は、ＮＩＲウィンドウによってもたらされるように、拡散性媒体内の伝播は散乱が多いが、吸収が比較的少ないということである。この仮定により、「拡散近似」を用いて「輸送方程式」に関連付けられた「拡散方程式」の導出が可能になり、これは組織内のＮＩＲ光子伝播をモデル化するための効果的なツールを提供する。輸送方程式は、たとえば、Ｋ．Ｍ．ＣａｓｅおよびＰ．Ｆ．Ｚｗｅｉｆｅｌの「Ｌｉｎｅａｒ  Ｔｒａｎｓｐｏｒｔ  Ｔｈｅｏｒｙ」Ａｄｄｉｓｏｎ−Ｗｅｓｌｅｙ、ＭＡ（１９６７年）、ならびにＫ．ＦｕｒｕｔｓｕおよびＹ．Ｙａｍａｄａの「Ｄｉｆｆｕｓｉｏｎ  Ａｐｐｒｏｘｉｍａｔｉｏｎ  ｆｏｒ  ａ  Ｄｉｓｓｉｐａｔｉｖｅ  Ｒａｎｄｏｍ  Ｍｅｄｉｕｍ  ａｎｄ  ｔｈｅ  Ａｐｐｌｉｃａｔｉｏｎｓ」Ｐｈｙｓ．Ｒｅｖ．Ｅ５０、３６３４（１９９４年）に述べられている。
【発明の開示】
【発明が解決しようとする課題】
【０００９】
周知のように、現在使用可能な蛍光タンパク質はすべて、可視範囲内の波長を有する励起光を使用する。さらに、従来の蛍光タンパク質は、励起されたとき可視蛍光を発する。従来の蛍光タンパク質によってもたらされるような可視光を使用する断層撮影画像は、著しい減衰を引き起こす、生物組織内を伝播する可視光の比較的高い吸収によって複雑化される。吸収が（たとえば、可視光について）高いと、上述の従来の拡散近似は有効でない。
【００１０】
他方、輸送方程式に対する（上述の拡散近似以外の）より先進の解が生成され、ＮＩＲ光断層撮影に適用されている。それらの先進の解は、上述の拡散近似の欠点（ｉｎａｄｅｑｕａｃｙ）を克服する。しかし、輸送方程式に対するそれらの先進の解は、概して計算コストがかかり、多数の励起光源を有しデータセットが大きくなる断層撮影システムにとって非実用的なものとなる。
【００１１】
断層撮影に必要な複数の画像を提供するために、多数の従来の光断層撮影システムは、単一の光要素を使用して標本に対して様々な角度や位置で投射するために、光源アセンブリの一部として光スイッチを使用する。光スイッチは、エネルギー損失を生じることが知られている。さらに、多数の光断層撮影システムは、室温で、または光を集めるために余り低くない冷却でＣＣＤカメラを使用する。室温または余り低くないように冷却されたＣＣＤカメラは、比較的高いレベルの暗（熱）雑音を示すことが知られており、これは得られた光断層撮影画像の品質を制限する傾向がある。
【課題を解決するための手段】
【００１２】
本発明の一態様によれば、光断層撮影用のシステムが、蛍光タンパク質を中に有する標本に向かって励起光を投射するように適合された見かけの光源（ａｐｐａｒｅｎｔ  ｌｉｇｈｔ  ｓｏｕｒｃｅ）を含み、励起光が標本に進入し、標本内で固有光になる。固有光は、蛍光タンパク質からの蛍光を励起するように適合される。固有光および蛍光は、拡散性（ｄｉｆｆｕｓｅ）である。いくつかの実施形態では、励起光および蛍光のうち少なくとも１つは、可視波長範囲内の波長を有する。
【００１３】
本発明の他の態様によれば、光断層撮影の方法は、蛍光タンパク質を中に有する標本に向かって励起光を投射するように適合された見かけの光源を用いて励起光を生成するステップを含み、励起光が標本に進入し、標本内で固有光になる。固有光は、蛍光タンパク質からの蛍光を励起するように適合される。固有光および蛍光は、拡散性である。いくつかの実施形態では、励起光および蛍光のうち少なくとも１つは、可視波長範囲内の波長を有する。
【００１４】
本発明の他の態様によれば、光断層撮影用のシステムが、複数の光路を標本に向かって導くように見かけの光源を選択的に移動するための少なくとも１つの選択的に移動可能な構成要素を含む。
【００１５】
本発明の前述の特徴、ならびに本発明それ自体は、以下の、図面の詳細な説明から、より十分に理解することができる。
【発明を実施するための最良の形態】
【００１６】
本撮像方法およびシステムについて述べる前に、いくつかの導入概念および用語について述べる。本明細書では、「ファントム」は、撮像される試験対象を指す。ファントムは、典型的には、生組織に似た拡散性の光伝播特性を有する製造物品、たとえばプラスチック小片である。他の例として、ファントムは、蛍光タンパク質、すなわち蛍光マーカを発現する細胞を中に有するバイアルとすることができる。
【００１７】
本明細書では、「見かけの光源」という用語を使用し、それぞれが見かけの光源を提供する、複数の物理的位置または角度に対する単一の光源の複数の投射について述べる。
本明細書では、「励起」光という用語を使用し、撮像される標本に進入する前に、その標本に向かって移動する、励起光源によって生成された光（たとえば、見かけの光源）について述べる。標本内に進入した後で、その光は、本明細書では「固有」光と呼ばれる。固有光は、標本内で吸収および散乱を受け、標本を出て行くこともできる。
【００１８】
標本を出た固有光は、励起光源によって生成された同じ波長にある。励起光および固有光は、単色とすることができ、あるいは、たとえば白色光として、より広いスペクトルをカバーすることができる。
【００１９】
いくつかの実施形態では、標本を出て行く固有光は、（たとえば、下記で述べる図１Ａの反射撮像において）概して標本の、光源と同じ側に配置された光検出器によって受け取られる。他の実施形態では、標本を出て行く固有光は、（たとえば、下記で述べる図１の透光撮像において）標本を通過した後で、概して標本の、光源と反対側に配置された光検出器デバイスによって受け取られる。どちらの場合にも、励起光は、標本に進入し、標本の内部から反射した、または標本を通過したとき、固有光になる。
【００２０】
本明細書では、「発せられた」光という用語を使用し、生物組織によって、または生物組織内で生成された光について述べる。本明細書では、「蛍光（ｆｌｕｏｒｅｓｃｅｎｃｅ  ｌｉｇｈｔ）」または「蛍光（ｆｌｕｏｒｅｓｃｅｎｔ  ｌｉｇｈｔ）」という用語を使用し、固有光に応答して蛍光タンパク質の励起を介して生成された、ある形態の発光について述べる。
【００２１】
本明細書では、「画像」という用語を使用し、基礎となる「画像データ」がデジタルカメラによって、またはコンピュータシステムによって生成された視覚的表現について述べる。しかし、本明細書ではまた、「画像」という用語を使用して画像データを指すことも理解されよう。
【００２２】
本明細書では、「拡散」という用語を使用し、標本内部で伝播するとき、その標本内での光子の吸収とは独立して、数回の散乱事象（たとえば、１０回を超える散乱事象）に遭遇した光子を有する光について述べる。散乱事象の回数は、１０を超えることも、１０未満とすることもできる。
【００２３】
本発明の方法およびシステムについては、拡散光伝播が優勢である生物組織内で伝播する可視光に適用されるように下記で述べる。しかし、本方法およびシステムは、拡散光伝播が優勢である任意の媒体内で伝播する任意の形態の光、たとえば、生物組織内で十分深い遠方に伝播するＮＩＲ光、たとえば可視励起光およびＮＩＲ蛍光（発光）にも等しく十分に適用される。また、本方法およびシステムは、コヒーレント伝播が優勢である媒体内で伝播する光にも適用することができる。
【００２４】
本発明の方法およびシステムについては、可視蛍光を発する蛍光タンパク質に適用され、約４００ｎｍから７００ｎｍの可視波長範囲内で特定の利益をもたらすように本明細書で述べられているが、本方法およびシステムはまた、他の波長を有する光、たとえば、約７００ｎｍから１００ｎｍの近赤外（ＮＩＲ）範囲内の蛍光にも適用することができる。また、本方法およびシステムは、励起光が１つの波長範囲内、たとえば可視範囲内にあり、蛍光タンパク質によって発せられた蛍光が別の波長範囲内、たとえばＮＩＲ範囲内にあるシステムにも等しく十分に適用される。本方法およびシステムはまた、励起光と蛍光タンパク質によって発せられた蛍光とが共にＮＩＲ範囲内にある、または共に可視範囲内にある場合にも適用される。また、４００ｎｍから１０００ｎｍの波長範囲を超える光を使用することもできる。
【００２５】
図１を参照すると、蛍光タンパク質を使用する光撮像用のシステム１０は、複数の見かけの光源（図示せず）を提供するために、撮像光源１２と、光誘導デバイス１４とを含む。見かけの光源は、標本１８に対して様々な位置で励起光２２ａ〜２２ｃをもたらす。３つのそのような位置が示されているが、見かけの光源位置を３つより多くすることも、３つより少なくすることもできる。励起光２２ａ、２２ｃは、標本１８上に入射し、進入したとき固有光になり、固有光２４ａ、２４ｂとして標本１８を出て行く。固有光２４ａ、２４ｂは、任意選択の選択可能な光フィルタ２８を通過し、任意選択の映像増倍管３０を通過し、光検出器３２によって受け取られる。励起光２２ｂもまた標本１８内に入り、標本１８内で蛍光タンパク質２０上に入射する。励起光２２ｂに応答して、蛍光タンパク質２０は蛍光２６を発し、蛍光２６もまた、任意選択の選択可能な光フィルタ２８を通過し、任意選択の映像増倍管３０を通過し、光検出器３２によって受け取られる。
【００２６】
任意選択の白色光源４０がさらに、他の光路（図示せず）を提供するように標本を照明することができ、それらの光路は、標本の表面から反射し、やはり任意選択の選択可能な光フィルタ２８を通過し、任意選択の映像増倍管３０を通過し、光検出器３２によって受け取られる。
【００２７】
いくつかの実施形態では、固有光２４ａ、２４ｂ、蛍光２６、および白色光源４０からの白色光は、光検出器によって同時に受け取られる。この構成では、固有光２４ａ、２４ｂ、蛍光２６、および白色光源４０からの白色光は、異なる光を光検出器３２に、同時に、または別々の時間で送るために、選択可能なフィルタ２８によって分離することができる。このために、選択可能なフィルタの通過帯域を、異なる時間で、固有光、蛍光、白色光の波長の中央に合わせることができる。
【００２８】
他の実施形態では、固有光２４ａ、２４ｂ、蛍光２６、および白色光源４０からの白色光のいずれか１つ、または複数が、他の固有光２４ａ、２４ｂ、蛍光２６、および白色光源４０からの白色光と異なる時間で受け取られる。たとえば、１つの特定の実施形態では、固有光２４ａ、２４ｂが最初に受け取られ、その時間に、撮像光源１２は消灯される。蛍光２６は、固有光２４ａ、２６ｂがもはや存在しなくなった後で受け取られる。蛍光２６が発せられなくなった後で、白色光源４０がオンになり、白色光が受け取られる。
【００２９】
光検出器３２は、受け取られた光をデジタルデータ３２ａ（本明細書では画像データとも呼ばれる）に変換するように動作する。イメージプロセッサ３４は、デジタルデータ３２ａを受け取り、画像４６を生成する。いくつかの実施形態では、画像４６は、断層撮影画像である。
【００３０】
イメージプロセッサ３４は、拡散方程式プロセッサ３８を有する順問題（ＦＰ）プロセッサ３６を含むことができる。順問題プロセッサ３６および拡散方程式プロセッサ３８の機能は、たとえば図４と共に、下記でより十分に述べる。ここでは、順問題プロセッサ３６は、標本内の光伝播のモデル（予想される光）を、光検出器によって受け取られた光と比較すると言えば十分である。受け取られた光と、（光伝播モデルによって与えられた）予想される光との差は、標本内の蛍光タンパク質２０と関連付けられる。拡散方程式プロセッサ３８は、上述の光伝播モデルを提供するために使用することができる「輸送方程式」に関連付けられた「拡散方程式」内で使用される修正拡散係数を提供する。
【００３１】
いくつかの実施形態では、修正拡散係数により、約４００ｎｍから７００ｎｍの波長を有する可視波長領域内の光について、モデルで光伝播を予測することが可能になる。他の実施形態では、修正拡散係数により、約７００ｎｍから１０００ｎｍの波長を有する近赤外波長領域内の光について、モデルで光伝播を予測することが可能になる。さらに他の実施形態では、修正拡散係数により、４００ｎｍ〜１０００ｎｍの範囲の外側の波長を有する光について、モデルで光伝播を予測することが可能になる。
【００３２】
また、システム１０は、見かけの光源を所定の光路に向けて送るための光方向コントローラ４４を含むことができる。システム１０はまた、撮像チャンバ１６を移動し、より多くの見かけの光源を提供するように使用することができる、光方向コントローラ４４の代わりの、またはそれと組み合わせられた任意選択のチャンバ位置コントローラ４２を含むことができる。すなわち、固有光は、より多くの所定の光路に沿って標本１８を通過する。
【００３３】
システム１０は、撮像光源１２によって生成された光が、標本１８を通過し、本質的に標本１８の他方の側で受け取られる透光撮像システムを提供することを理解されたい。
次に図１Ａを参照すると、図１の同様の要素が同様の符号を有して示されているシステム７０と、選択可能なフィルタ２８と、映像増倍管３２と、光検出器３２とが、概して標本１８の、撮像光源１２および光誘導デバイス１４と同じ側で位置決めされる。この特定の構成の場合、固有光７２ａ、７２ｂは、反射光として光検出器３２によって受け取られる。本質的には、励起光２２ａ〜２２ｃは、標本１８内に入り、反射して、あるいは、より具体的には散乱して受光器３２に戻る。蛍光７４もまた、光検出器３２によって受け取られる。システム７０は、画像７６を生成する。
【００３４】
システム７０は、撮像光源１２によって発せられた光が、標本１８内に入り、本質的に標本１８の同じ側で受け取られる反射撮像システムを提供することを理解されたい。他の実施形態では、光誘導デバイス１４と光検出器３２の間の角度は、約９０度である。
【００３５】
次に図２を参照すると、装置１００は、レーザ１０２と、光ファイバ１０４と、光スイッチ１０６とを含み、これらは組合せで、標本１１０がその上に配置される撮像プレート１０８を有する撮像チャンバ１１２に向かって導かれる複数の見かけの光源を生成する。撮像チャンバは、マッチング液１１４で充填することができる。選択可能なフィルタ１１５およびＣＣＤカメラ１１６は、標本１１０を通過する固有光と、標本１１０によって発せられる蛍光とを受け取る。上述のように、選択可能なフィルタは、固有画像が生成されるか、それとも蛍光画像が生成されるかに応じて、固有光または蛍光の波長の中央に選択的に合わせられる通過帯域を有する。光スイッチ１０６は、コンピュータ１２２によって制御することができる。コンピュータ１２２はまた、ＣＣＤコントローラ１１８を介してＣＣＤカメラ１１６を制御することができる。イメージプロセッサ１２０は、ＣＣＤコントローラ１１８を介してデジタルデータ１１６ａを受け取る。グラフィカルディスプレイ１２４は、得られた画像情報を表示することができる。
【００３６】
レーザ１０２は、図１および図１Ａの撮像光源１２に対応し、光スイッチ１０６は、図１および図１Ａの光誘導デバイス１４に対応し、撮像チャンバ１１２は、図１および図１Ａの撮像チャンバ１６に対応し、ＣＣＤカメラ１１６は、図１および図１Ａの光検出器３２に対応し、イメージプロセッサ１２０は、図１および図１Ａのイメージプロセッサ３４に対応することを理解されたい。
【００３７】
ここでは、標本１１０は、撮像チャンバ１１２内で配置されたマウスとして示されている。レーザ１０２は、励起光（図示せず）を送り、励起光は、標本１１０に進入し、標本１１０内で蛍光タンパク質（図示せず）を励起し、蛍光（図示せず）を生成する。ＣＣＤカメラ１１６は、レーザ光を（標本１１０を通過した）固有光として受け取り、また、標本１００内から発せられた蛍光を、選択可能なフィルタ１１５を介して受け取る。
【００３８】
特定の一実施形態では、レーザ１０２は、約２００ｍＷ連続波（ＣＷ）電力でレーザ光を発するアルゴン（Ａｒ＋）レーザであり、約４８８ｎｍの波長を有する。そのレーザ光を使用し、標本１１０内の蛍光タンパク質、たとえば緑色蛍光タンパク質または黄色蛍光タンパク質を励起することができる。
【００３９】
特定の一実施形態では、光ファイバ１０４は、直径１００μｍのマルチモード光ファイバである。レーザ１０２は、光スイッチ１０６により、標本１１０に対して様々な物理的位置で、複数の見かけの光源を提供する。特定の一実施形態では、光スイッチは、３１本の見かけの光源を提供する。しかし、他の実施形態では、３１本より多い、または３１本より少ない見かけの光源を提供することができる。
【００４０】
光スイッチ１０６が示されているが、他の実施形態では、光スイッチ１０６は、図３により詳しく示されている光走査ヘッド（または光スキャナ）と置き換えることができる。
光スイッチ１０６は、標本１１０に対して様々な角度または位置で見かけの光源を提供し、それによって、対応する様々な画像をイメージプロセッサ１２０で形成することを可能にし、それらの画像は、断層撮影プロセスにおいて、イメージプロセッサ１２０で組み合わせることができる。
【００４１】
光スイッチ１０６は、対応する複数の選択可能な、固定された物理的な場所に光を向けて送るように適合された、複数の選択可能な光ファイバ経路（図示せず）を含み、位置および数が選択的に固定される見かけの光源を提供することは理解されよう。
【００４２】
特定の一実施形態では、ここではマウスとして示されている生組織が、光学的マッチング液１１４と接触して、撮像プレート１０８上で配置される。マッチング液１１４については、さらに下記で述べる。マッチング液を使用し、迷光の影響を低減する。しかし、他の実施形態では、マッチング液が使用されない。
【００４３】
動作時には、たとえば、図４に関連して述べられているように、（見かけの光源のそれぞれに由来する）固有光が、また標本１１０内の蛍光タンパク質によって発せられた光が、ＣＣＤカメラによって受け取られ、その後、イメージプロセッサ１２０によって断層撮影法で処理される。
【００４４】
特定の一実施形態では、ＣＣＤカメラ１１６は、暗雑音が低減された冷却型ＣＣＤカメラである。たとえば、ＣＣＤカメラ１１６は、低温冷却ユニットを有するＲｏｐｅｒ  Ｓｃｉｅｎｔｉｆｉｃ、Ｐｒｉｎｃｅｔｏｎ  Ｉｎｓｔｒｕｍｅｎｔｓ  ＣＣＤカメラとして設けることができる。
【００４５】
動作中には、光スイッチ１０６は、得られた各画像が、新しい見かけの光源の新しい位置（すなわち、光スイッチ１０６内の異なる光路）に対応するように、ＣＣＤコントローラ１１８によって制御およびトリガされ、したがって、励起と検出の適正な同期を達成する。各見かけの光源位置ごとに１回獲得されて、各回の獲得は、Ｎ個の画像で構成される。したがって、５１２×５１２ピクセルのＣＣＤカメラを仮定すると、各測定値セットごとの最大データ数は、Ｎ×５１２×５１２である。しかし、後続の処理のためにイメージプロセッサ１２０によって使用される検出器（すなわち、ピクセル）の数は、見かけの光源のそれぞれに関連付けられた視野に応じて、５１２×５１２ピクセルの完全なグループより少なくすることができる。また、使用されるピクセルの数は、画像処理に必要とされる計算時間を削減するために、削減することができる。
【００４６】
特定の一実施形態では、ＣＣＤカメラ１１６および選択可能なフィルタ１１５は、標本１１０に対して他の角度でより多くの画像を達成するために、たとえば矢印１４０、１４２によって表された方向で、標本１１０の周りで選択的に移動可能である。他の実施形態では、ＣＣＤカメラ１１６から幾分オフラインの光スキャナ１１７で、標本に対して他の角度で画像を提供することができる。
【００４７】
標本１１０は、撮像プレート１０８上で水平に配置し、カバーガラス（図示せず）で圧縮することができる。次いで、撮像チャンバ１１２は、特定の一実施形態ではイントラリピッドおよびインディアインク溶液で構成されるマッチング液１１４で充填される。マッチング液１１４は、光学特性を合致させ、チャンバ内で屈折率および拡散波の不整合を低減する傾向がある。特定の一実施形態では、マッチング液１１４は、イントラリピッド１％、インク２．１％で構成され、これは、μａ＝１．２５ｃｍ−１およびμｓ’＝１６．７ｃｍ−１に対応し、ただし、それぞれμａは吸収係数であり、μｓ’は換算散乱係数である。換算散乱係数については、下記でさらに述べる。
【００４８】
次に図３を参照すると、光スキャナ１５０は、図２の光スイッチ１０６の代わりに使用することができ、また、図２の光スキャナ１１７として使用することができる。特定の一実施形態では、光スキャナ１５０は、概して直交する軸の周りで旋回する２つのガルバノメータ制御型ミラー（ここでは、図を見やすくするために、１つのガルバノメータ制御型ミラー１５６が示されている）と、レーザビーム１５６を撮像チャンバ１６２の入力ウィンドウ上に走査および集束し、複数の見かけの光源を、ここでは光線１６０ａおよび１６０ｂによって表されたそれぞれ異なる物理的位置で送るための走査レンズ１５８とを含むことができる。特定の一実施形態では、走査レンズ１５８は、テレセントリックレンズである。特定の一実施形態では、フィールド平面１６２（たとえば、図２の撮像チャンバ１１２）部での光線直径は、約３００μｍである。単一の光源（図示せず）を使用することができ、これはファイバカプラ１５２によって受け取られる。
【００４９】
光スキャナ１５０は、従来の光スイッチ、たとえば図２の光スイッチ１０６の光学的損失に比べて、光学的損失が少ない。したがって、光スキャナ１５０は、より低損失の見かけの光源システムを提供する。さらに、光スキャナ１５０の場合、走査領域、光線形状、ならびに見かけの光源の数および見かけの光源の位置は、固定された数の光路が固定された位置にある図２の光スイッチ１０６と異なり、実質的に無限に変えることができる。また、より高い光パワーと、より広い光波長範囲（可視光から近赤外（ＮＩＲ）光）を達成することができる。
【００５０】
光スキャナ１５０は、それだけには限らないが、より低いエネルギー損失、いくつかの見かけの光源にわたって均一な応答、ならびに改善された信頼性および頑健性を含めて、光スイッチに優る様々な利点を有する。また、走査領域、ならびにいくつかの見かけの光源および見かけの光源の空間構成は、ソフトウェア制御することができ、したがって、走査される標本の特性に従って変えることができる。さらに、パワーのより高い照明と、より広い光波長範囲（たとえば、４００から１０００ナノメートル）を達成することができる。
【００５１】
次に図４を参照すると、光断層撮影の方法２００は、励起光が生成され、標本に向かって伝達されるステップ２０２で始まる。いくつかの実施形態、たとえば断層撮影画像が得られる実施形態では、励起光が、標本に対して異なる位置に対応する複数の見かけの光源から送られる。
【００５２】
いくつかの実施形態では、その複数の光源が、その複数の見かけの光源部で、概して同時に励起光を送る。他の実施形態では、複数の見かけの光源が、励起光を順次送る。
ブロック２０４では、固有光が受け取られる。上述のように、固有光は、標本内を出入りした励起光に対応する。固有光は、光検出器、たとえば図１の光検出器３２で受け取ることができる。いくつかの実施形態では、受け取られた固有光が徹照光（ｔｒａｎｓｉｌｌｕｍｉｎａｔｉｏｎ  ｌｉｇｈｔ）に対応し、光検出器と見かけの光源は、本質的に標本の両側にある。他の実施形態では、受け取られた固有光が反射光に対応し、光検出器と見かけの光源は、本質的に標本の同じ側にある。
【００５３】
ブロック２０６では、蛍光が受け取られる。蛍光は、固有光に応答して、標本内の蛍光タンパク質によって発せられる。蛍光は、たとえば図１の光検出器３２で受け取ることができる。いくつかの実施形態では、蛍光と固有光は、たとえば、蛍光を固有光から分離するように適合された光フィルタ（たとえば、図１の２８）を用いて、同時に受け取られる。他の実施形態では、蛍光は、やはり光フィルタを用いて、励起光が消灯された後で受け取られる。
【００５４】
ブロック２０８では、受け取られた固有光が、第１の画像情報、たとえば図１のデジタルデータ３２ａに変換される。ブロック２１０では、受け取られた蛍光が、やはりデジタルデータ３２ａとすることができる第２の画像情報に変換される。
【００５５】
ブロック２１２では、標本内の光伝播を予測するためにモデルが生成される。そのモデルは、たとえば下記の式（４）におけるように、下記でより十分に述べる修正拡散係数を有し、下記の式（６）におけるように修正波数を有する拡散方程式に基づくものとすることができる。
【００５６】
ブロック２１２で生成された光モデルは、同質媒体、すなわち、光異質性を有していない媒体内での伝播に関連付けることができる。他の実施形態では、より先進のモデルをも使用し、背景の光異質性に関する情報を解決（ｒｅｓｏｌｖｅ）し、次いでそれを使用することができる。
【００５７】
下記の考察から、組織内の光伝播は、修正拡散係数を有する修正拡散方程式を使用することによってモデル化することができ、修正拡散係数は、たとえば、生物組織内で伝播する可視光の場合のように、媒体が比較的高い吸収を有する拡散性媒体について光伝播の特性を予測するように適合されることが明らかになろう。下記で修正拡散係数について述べているので、修正拡散方程式は、たとえば、拡散性であることが知られている、比較的高い可視光吸収を有する生物組織内での可視光の伝播を予測することができる。しかし、修正拡散方程式はまた、拡散性媒体内で移動する他の波長を有する光、たとえば、生物組織内で伝播する近赤外光の伝播を正確に予測するのに適している。
【００５８】
一般的な拡散方程式は、放射輸送方程式から導出することができる。媒体内部で伝播するレーザ励起光（固有光）によって生成される固有光照射野と、位置
【００５９】
【数１】
2007528500.tif 000003
【００６０】
部の蛍光タンパク質により媒体内部で生成される蛍光照射野は共に、独立して計算され、次いで、正規化Ｂｏｒｎフィールド（拡散近似）を計算するために使用される。下記でより十分に述べるように、修正拡散方程式は、順問題で使用し、媒体内部の蛍光タンパク質の画像を提供することができる。
【００６１】
共に高い吸収を反映する修正拡散係数と修正伝播波数を共に有する、位置
【００６２】
【数２】
2007528500.tif 000004
【００６３】
部の見かけの光源による、光検出器位置
【００６４】
【数３】
2007528500.tif 000005
【００６５】
部で検出された、媒体内で伝播する光についてのＢｏｒｎフィールド
【００６６】
【数４】
2007528500.tif 000006
【００６７】
は、
【００６８】
【数５】
2007528500.tif 000007
【００６９】
によって与えられ、ただし、
【００７０】
【数６】
2007528500.tif 000008
【００７１】
および
【００７２】
【数７】
2007528500.tif 000009
【００７３】
は、それぞれ励起（λ１）（レーザ）波長および放射（λ２）（蛍光）波長での測定値であり、
【００７４】
【数８】
2007528500.tif 000010
【００７５】
は、信号を介したブリードであり、Θｆは、たとえば図１の選択可能なフィルタ２８に関連する帯域通過フィルタ減衰係数であり、Ｓ０は、励起（λ１）波長および放射（λ２）波長での計器利得差（たとえば、光検出器利得差）を反映する利得項であり、
【００７６】
【数９】
2007528500.tif 000011
【００７７】
は、蛍光タンパク質吸収係数と蛍光量子収量との積であり、
【００７８】
【数１０】
2007528500.tif 000012
【００７９】
は、高い吸収を反映する、それぞれλ１とλ２での修正光子波伝播波数であり、ｖは、媒体内での光の速度であり、
【００８０】
【数１１】
2007528500.tif 000013
【００８１】
は、λ２での高い吸収の存在下における修正拡散係数であり、
【００８２】
【数１２】
2007528500.tif 000014
【００８３】
は、λ１での、媒体内の位置
【００８４】
【数１３】
2007528500.tif 000015
【００８５】
での確立された光子フィールドについて説明する項であり、
【００８６】
【数１４】
2007528500.tif 000016
【００８７】
は、位置
【００８８】
【数１５】
2007528500.tif 000017
【００８９】
部での蛍光タンパク質から光検出器までの放射光子波の伝播を説明する拡散近似に対するグリーン関数解である。関数
【００９０】
【数１６】
2007528500.tif 000018
【００９１】
は、
【００９２】
【数１７】
2007528500.tif 000019
【００９３】
によって与えられる。
上記の式（１）は、本質的にＵｉｎｃによって正規化される。式（１）において正規化を使用する利点は、位置依存性の寄与がなくされ、また、このフィールドは、蛍光タンパク質が存在する場合ですら計算することができることである。これは、蛍光タンパク質を与える前に背景測定が必要でないことを意味し、これは生体内研究にとって重要である。
【００９４】
拡散性の光伝播の吸収依存性を媒体吸収から独立して表すための有用な方法は、拡散係数を
【００９５】
【数１８】
2007528500.tif 000020
【００９６】
と書くことによるものであり、ただし、αは、概して媒体の吸収、散乱、異方性に依存する定数である。係数μｓ’は、換算散乱係数であり、μａは、吸収係数である。換算散乱係数μｓ’は、μｓ’＝（１−ｇ）μｓと書くことができ、ただし、μｓは、散乱係数である。高い吸収を反映する修正拡散係数Ｄαについての式は、放射輸送方程式からの導出を介して見つけられ、
【００９７】
【数１９】
2007528500.tif 000021
【００９８】
を得ることができ、ただし、ｇは、異方性係数である。ここで、Ｄαは、異方性媒体内での散乱実験の際に重要な数量である換算散乱係数μｓ’を用いて表される。式（４）と、標準的な拡散係数Ｄについて最も一般的に使用される式との１つの主な差は、一般的に使用される式では、αの値が推測的にα＝０またはα＝１に固定されることである。しかし、αのより包括的（ｇｅｎｅｒｉｃ）な式は、考慮されるスペクトル領域に応じて異方性係数ｇを適切に選択することによって、背景吸収の変動する程度を反映することができる。適切な値は、解析によって、または実験によって見つけることができる。αのための式は、式（４）および式（３）から、
【００９９】
【数２０】
2007528500.tif 000022
【０１００】
として見つけられる。
αの典型的な値は、０．２から０．６に及ぶ。生物組織内で伝播する可視光については、生物組織にとって典型的であるｇ〜０．８の異方性係数を仮定して、αは、０．５０から０．５５程度である。ｇに伴うαの依存性は小さいものであり、現実的な生物学的値（０．５と０．９の間のｇ）内でのｇの値の変化は、αの値を少し変化させるにすぎない。
【０１０１】
従来の拡散係数が使用された場合（すなわち、α＝０またはα＝１の場合）、拡散近似では、吸収の高い媒体について不正確な結果が生まれる。これは、長い間、高い吸収の存在下で（たとえば、生物組織内で伝播する可視光について）拡散近似が失敗すると考えられてきた理由である。しかし、式４の修正拡散係数が使用されたとき、拡散近似は、依然として正確なままである。このために、修正波数は、
【０１０２】
【数２１】
2007528500.tif 000023
【０１０３】
として定義しなければならない。ただし、ωは、変調周波数である（連続波励起光についてω＝０）。式４の修正拡散係数を式６の伝播波数と組み合わせると、高い吸収の存在下での、たとえば、生物組織内で伝播する可視光についての撮像に適切な、拡散近似に対するグリーン関数解を導出することができる。
【０１０４】
上述のモデル（式１および後続の例示的な式）は、見かけの光源の特性、たとえばそれらの位置および強度を利用することができる。
ブロック２１４では、第１の画像情報と第２の画像情報と光伝播モデルが、たとえば、いわゆる「順問題」で組み合わされる。標本が内部蛍光タンパク質を有し、したがって、内部が同質でない場合、ブロック２１４の組合せは、測定値＝（理論的な予測）×（未知の分布）という形態の「画像問題」または「順問題」を生成し、ただし、その測定値は、ブロック２０４〜２１０で光検出器３２（図１）によって提供され、理論的な予測は、ブロック２１２で、概して式（１）〜（６）に従って、イメージプロセッサ３４（図１）によって提供される。未知の分布は、蛍光タンパク質によって発せられる蛍光に対応する。イメージプロセッサ３４は、標本１８（図１）内の蛍光タンパク質２０（図１）の物理的位置および特性を確立するために、未知の分布について解くことができる。
【０１０５】
ブロック２１６では、標本内の蛍光タンパク質濃度についてのマップが生成される。いくつかの実施形態では、マップは、断層撮影画像である。マップを生成するために、上述の順問題モデルが「逆転」され、上述の未知の分布について解く。
【０１０６】
蛍光タンパク質マップを生成する際には、当該のボリュームを、それぞれがいくつか（たとえば６５１個）のボクセルを含む複数の軸方向（水平）層（たとえば２１層）に区分することができる。ボクセルサイズは、視野の寸法および区分の数に基づいて選択される。
【０１０７】
当該のボリュームは、３次元でいくつかのボクセルに区分することができる。これらは、３次元で互いに隣接して積み重ねられた立方体に似て、水平、垂直、または横方向の層として見ることができる。ボクセルのそれぞれは、未知の量の蛍光タンパク質と、未知の減衰とを有する。ボクセルのそれぞれにおける蛍光および減衰が既知であるならば、測定後の画像を予測することができるであろう。しかし、各ボクセルにおける蛍光および減衰は既知でない。したがって、上述の順問題を解き（逆転し）、蛍光タンパク質のマップを見つけることができる。
【０１０８】
いくつかの実施形態では、画像のわかりやすさを向上するために、標本の白色光画像を蛍光タンパク質濃度のマップ上に重ね合わせることが望ましい可能性がある。このために、ブロック２１８で、標本を白色光源によって照明することができ、白色光は、ブロック２２０で受け取ることができ、白色光画像は、ブロック２２２で生成することができる。
【０１０９】
ブロック２２２で生成された白色光画像は、ブロック２２４において、ブロック２１６で生成された蛍光タンパク質マップと重ね合わせることができる。このために、特定の一実施形態では、白色光画像が、蛍光タンパク質のマップと見当合わせ（ｒｅｇｉｓｔｅｒ）または位置合わせされる。
【０１１０】
白色光画像を蛍光タンパク質のマップと位置合わせするために、見かけの光源の画像を、たとえばファントムを介して作成し、見かけの光源座標を決定することを可能にすることができる。この手順は、断層撮影画像上に重ね合わせることができる白色光画像の相互見当合わせを改善し、相対的な位置誤差を低減する。
【０１１１】
次に図５を参照すると、固有光の３１個の画像３００は、標本に光を導く３１本の見かけの光源、およびそこから徹照光として受け取られる固有光に対応する。見かけの光源は、光を標本に、１本ずつ、または同時に、あるいは任意の組合せで導く。
【０１１２】
画像３００は、光源（たとえば、図１の１２）からの励起光の波長の中央に合わせられた帯域通過フィルタ（たとえば、図１の２８）を使用して生成することができる。
次に図５Ａを参照すると、蛍光の３１個の画像３１０は、光を標本に導く３１本の見かけの光源、およびそこから受け取られる、発せられた蛍光に対応する。見かけの光源は、光を標本に、１本ずつ、または同時に、あるいは任意の組合せで導く。蛍光は、見かけの光源が標本に光を導きつつある間に、または見かけの光源が標本に光を導いた後で受け取ることができる。図５の固有光画像と図５Ａの蛍光画像は、たとえば図４のブロック２１４で組み合わせられる。
【０１１３】
画像３１０は、蛍光タンパク質（たとえば、図１の２０）からの発せられた光の波長の中央に合わせられた帯域通過フィルタ（たとえば、図１の２８）を使用して生成することができる。
【０１１４】
測定値（または画像）３００、３１０を使用し、式（１）によって説明されるフィールド
【０１１５】
【数２２】
2007528500.tif 000024
【０１１６】
を生成する。露出時間は、ダイナミックレンジが最大になるように、個々の画像間で変わる可能性がある。
次に図５Ｂを参照すると、見かけの光源の３１個の画像３２０は、ファントムを介して光を導く３１本の見かけの光源、およびそこから受け取られる光に対応する。見かけの光源は、光をファントムに、１本ずつ、または同時に、あるいは任意の組合せで導く。見かけの光源の画像は、たとえば、図４のブロック２２４に示されているように、白色光画像を蛍光タンパク質濃度のマップに見当合わせするために、任意選択で使用される。
【０１１７】
画像３２０は、白色光源（たとえば、図１の４０）からの励起光の波長の中央に合わせられた帯域通過フィルタ（たとえば、図１の２８）を使用して生成することができる。
次に図６および図６Ａを参照すると、本発明の方法およびシステムによって提供される画像の一例が示されている。２つの異なる数、すなわち１０５個と１０６個の緑色蛍光タンパク質（ＧＥＰ）発現腫瘍細胞が使用された。蛍光タンパク質は、細いガラス管内部に配置され、動物が犠牲にされた後で、動物の食道内に挿入された。動物は、撮像チャンバ（たとえば、図１の１６）内部に配置され、次いで、撮像チャンバが、上述のマッチング液で充填された。撮像は、動物の胸部の周りの領域を徹照する３１本の見かけの光源アレイを使用して行われた。
【０１１８】
最初に図６を参照すると、画像３５０は、１０５蛍光タンパク質のマップ３５２を含み、そのマップ上に、マウスの白色光画像３５４が重ね合わされる。
次に図６Ａを参照すると、画像３７０は、１０６蛍光タンパク質のマップ３７２を含み、そのマップ上に、マウスの白色光画像３７４が重ね合わされる。
【０１１９】
次に図７を参照すると、光断層撮影用のシステム４００は、たとえば図３に関連して述べたように、複数の見かけの光源を提供する光スキャナ４１２に結合されたレーザ源４０２を含む。また、システム４００は、レーザ強度コントローラ４０６（ＬＩＣ）を含む。ＬＩＣ４０６は、レーザ源４０２の強度制御を行う。
【０１２０】
さらに、システム４００は、映像増倍管４２０と、ＣＣＤカメラとを含む。選択可能な光フィルタ４１８は、見かけの光源によって伝達された励起光の波長で、または標本４１６内の蛍光タンパク質によって発せられた光の波長で帯域の中央に選択的に合わせられる。コンピュータ４２４は、ＬＩＣ４０６および光スキャナ４１２を制御することができる。また、コンピュータは、イメージプロセッサとして、たとえば図１のイメージプロセッサ３４として機能し、グラフィカルディスプレイ４２６上で画像を提供することができる。
【０１２１】
動作時には、光スキャナ４１２は、複数の見かけの光源を、標本４１６に対して対応する複数の位置で提供する。ＣＣＤカメラは、徹照光として標本４１６を通過する固有光を、また標本４１６内の蛍光タンパク質によって発せられた蛍光を共に収集する。ＣＣＤカメラは、受け取られた光をデジタルデータに変換し、コンピュータは、図４に関連して上述したようにそのデジタルデータを処理し、断層撮影画像をグラフィカルディスプレイ４２６上で提供する。
【０１２２】
この特定の実施形態では、断層撮影イメージングに必要な複数の画像が、光スキャナ４１２によって提供される複数の見かけの光源の位置に関連付けられ、撮像チャンバは、実質的に静止したままであるが、画像品質に影響を及ぼすために、軸４１７に沿って移動させることができる。
【０１２３】
次に図７Ａを参照すると、図７の撮像チャンバ４１４は円筒４５０を含み、その円筒を、たとえば図２に関連して述べたように、マッチング液で充填することができる。撮像プレート４５４とカバーガラス４５６が、標本４１６を囲む。
【０１２４】
次に、図７の同様の要素が同様の符号を有して示されている図８を参照すると、光断層撮影用のシステム５００は、標本５１０を保持する撮像チャンバ５０４を含む。撮像チャンバ５０４は、矢印５０６によって表されるように回転するように、また、軸５０８に沿って並進して移動するように適合される。システム５００は、撮像チャンバ５０４を保持するために、回転ステージ５０２を含むことができる。
【０１２５】
図７に関連して述べられているように、断層撮影イメージングに必要な複数の画像が、光スキャナ４１２によって提供される複数の見かけの光源の位置に関連付けられる。さらに、撮像チャンバ５０４は、標本５１０の画像をさらに提供するために、たとえばコンピュータ４２４の制御下で回転して、また並進して移動させ、さらなる見かけの光源位置および／または角度を提供することができる。
【０１２６】
次に、図７および図８の同様の要素が同様の符号を有して示されている図８Ａを参照すると、図８の撮像チャンバ５０４は、たとえば図７Ａに示されている撮像チャンバ５５０と置き換えることができるが、矢印５５２によって表されるように回転して移動するように、また矢印５５４によって表されるように並進して移動するように適合することができる。
【０１２７】
また、撮像チャンバ５５０は、矢印５５６によって表される軸に沿って並進して移動することが可能であり、それにより、図８のＣＣＤカメラ４４２によって得られる画像に影響を及ぼすことが可能になる。
【０１２８】
次に図９を参照すると、図７の同様の要素が同様の符号を有して示されている光断層撮影用の別のシステム６００は、標本６０４が配置される概して円筒形の撮像チャンバ６０２を含む。撮像チャンバ６０２は、矢印６０６によって表されるように回転することができる。回転は、たとえば、コンピュータ６０８によって制御される回転ステージコントローラ６１２でコンピュータ制御することができる。図７のＬＩＣ４０６は示されていないが、システム６００に含むことができる。
【０１２９】
図７に関連して述べられているように、断層撮影イメージングに必要な複数の画像が、光スキャナ４１２によって提供される複数の見かけの光源の位置に関連付けられる。さらに、撮像チャンバ６０２は、標本６０４の画像をさらに提供するために、たとえばコンピュータの制御下で回転させ、すなわち、さらなる見かけの光源位置および／または角度を提供することができる。
【０１３０】
円筒形撮像チャンバ６０２の利点は、画像品質に対して欠点を課すことなしに、回転と撮像アルゴリズムが共に簡単かつ高速であることである。
次に図１０を参照すると、光断層撮影用のさらに別のシステム７００は、光ファイバ７１２に光を送るレーザ源７１０を含む。光ファイバ７１２は、たとえば構造７１６によって、少なくとも２つの軸７１８、７２０に沿って選択的に移動可能である。また、システム７００は、標本７２４が配置される概して円筒形の撮像チャンバ７２２を含む。撮像チャンバ７２２は、矢印７２３によって表されるように回転することができる。回転は、たとえば、コンピュータ７４０によって制御される回転ステージコントローラ７４４でコンピュータ制御することができる。さらに、少なくとも２つの軸７１８、７２０上でファイバ７１２の運動を実現する構造７１６の運動は、たとえば、コンピュータ７４０によって制御されるＸＹステージコントローラ７４６でコンピュータ制御することができる。図７のＬＩＣ４０６は示されていないが、システム７００に含むことができる。
【０１３１】
上記のシステムの場合と同様に、標本７２４を通過する固有光、および標本７２４内から発せられた蛍光は、選択可能な光フィルタ７３４を通過し、映像増倍管７３６およびＣＣＤカメラ７３８によって受け取られる。ＣＣＤカメラは、デジタルデータ７３８ａをコンピュータ７４０に送り、コンピュータ７４０は、少なくとも図４のブロック２０８〜２１６に示されているプロセスを提供し、標本７２４内の蛍光タンパク質のマップをグラフィカルディスプレイ７４２上で提供する。
【０１３２】
別の光ファイバ７１４は、標本７２４の、光ファイバ７１２と反対側で第２の光源７２６を提供することができる。第２の光源７２６は、図４のブロック２１８からブロック２２４の白色光画像を提供するために使用される単一の白色光源とすることができる。他の実施形態では、第２の光源７２６を少なくとも２つの軸７３０、７３２で選択的に移動させ、たとえば図１Ａに示されているものとほとんど同じ方法で、標本７２４の反射撮像で使用される別の複数の見かけの光源を提供することができる。
【０１３３】
図９のシステム６００によって提供される同じ高品質３Ｄ画像を、図１０のシステム７００で達成することができる。しかし、システム７００の利点は、透光モードだけでなく反射モードで動作することができ、任意の幾何形状、たとえば自由空間（すなわち、非接触およびマッチング液なし）の円筒形幾何形状を実施することができることである。
【０１３４】
次に、図１０の同様の要素が同様の符号を有して示されている図１０Ａを参照すると、さらに多くの見かけの光源を達成するために、第３の光源７６０を設けることができる。いくつかの実施形態では、第３の光源７６０は、少なくとも２つの軸７６２、７６４に沿って選択的に移動可能であり、たとえば、第２の光源７２６で側方照明を、また第３の光源７６０で前方照明を共に提供する。
【０１３５】
側方照明および前方照明を使用し、低レベルの光信号、特に、そうでない場合には第１の光源７１９を使用する透光モードで大きな吸収によって隠されるはずの信号の収集効率を改善することができる。第１、第２、第３の光源７１９、７２６、７６０からそれぞれ得られる測定値は、断層撮影処理と組み合わせることができ、図４に関連して上述したものと同様の順問題を解くために使用することができる。
【０１３６】
次に図１１を参照すると、別の撮像システム８００は、励起光を生成するためのレーザ光源８０２と、単一の光ファイバ８０４とを含む。光ファイバ８０４は、光学スプリッタ８０６に結合され、光学スプリッタ８０６は、それぞれ励起光を搬送する複数の光ファイバ８０８ａ〜８０８Ｎに、また光ファイバ８１０に、励起光を分割する。光ファイバ８０８ａ〜８０８Ｎは、矢印８１４、８１６によって表された少なくとも２つの軸に沿って並進して移動することができる走査ヘッド８１２に結合する。特定の一実施形態では、光ファイバ８０８ａ〜８０８Ｎは、撮像チャンバ８２０（または撮像チャンバ）内に配置された標本８２２に向かって、励起光を同時に投射する見かけの光源を提供する。
【０１３７】
上述のシステムの場合と同様に、標本８２２を出て行く固有光と、また標本８２２内の蛍光タンパク質によって発せられた蛍光は、選択可能なフィルタ８２８を通過し、映像増倍管８３０を通過し、ＣＣＤカメラ８３２に入る。光は、ＣＣＤカメラ８３２によってデジタルデータ８３２ａに変換され、そのデジタルデータは、コンピュータ８３４によって受け取られる。コンピュータ８３４は、たとえば図４のプロセス２００によって、述べられているようにデジタルデータを処理し、断層撮影画像のグラフィカル表示をグラフィカルディスプレイ８３６上で提示することができる。
【０１３８】
白色光源８２６は、標本８２２から反射する白色光を生成し、選択可能なフィルタ８２８を介して、映像増倍管８３０を介して、ＣＣＤカメラ内に白色光を送る。図４に関連して述べられているように、標本８２２の白色光画像は、標本８２２内の蛍光タンパク質のマップと重ね合わせ、よりわかりやすい断層撮影画像を得ることができる。
【０１３９】
また、コンピュータ８３４は、ＸＹステージコントローラ８３８を介して走査ヘッド８１２の位置を制御し、矢印８１４、８１６によって表された軸の周りで走査ヘッドを移動してより多くの見かけの光源を提供し、より良い蛍光タンパク質の断層撮影マップを得ることができる。
【０１４０】
特定の一実施形態では、走査ヘッド８１２は、矢印８１４、８１６によって表された少なくとも２つの軸に沿って走査することができ、走査ヘッド８１２に結合された光ファイバ８０８ａ〜８０８Ｎのすべてを同時に照明することができる。そのような実施形態の利点には、それだけには限らないが、特に、露出時間が長くなる低振幅の光信号の存在下での、より高速な断層撮影イメージングが含まれる。
【０１４１】
ファイバ８０８ａ〜８０８Ｎ間のクロストークは、伝播する光子の経路が重なり合わないように、個々のファイバ８０８ａ〜８０８Ｎ間の距離を適切に選択することによって最小限に抑えることができる。他の実施形態、特に露出時間を短くすることができるものでは、ファイバ８０８ａ〜８０８Ｎを１本ずつ照明し、ファイバ８０８ａ〜８０８Ｎ間のクロストークから雑音をなくすることができる。この実施形態では、光学スプリッタ８０６を、光スイッチ（たとえば、図２の１０６）によって置き換えることができる。代替の一実施形態では、単一のファイバを、矢印８１４、８１６によって表された軸に沿って走査することができる。
【０１４２】
次に、図１１の同様の要素が同様の符号を有して示されている図１１Ａを参照すると、図１１の走査ヘッド８１２は、複数の開口８５０ａ〜８５０Ｎを有し、そのそれぞれは、それぞれの見かけの光源に対応し、Ｎ個の見かけの光源を形成する。走査ヘッド８１２が、軸、たとえば矢印８１４、８１６によって表された軸に沿って移動されたとき、さらなる見かけの光源、たとえば別のＮ個の見かけの光源が形成される。
【０１４３】
本発明の方法およびシステムは、それだけには限らないが、ＤｓＲｅｄ蛍光タンパク質およびＨｃＲｅｄ蛍光タンパク質を含めて、任意の蛍光タンパク質を使用することができる。これらの特定の蛍光タンパク質は、可視光スペクトルの赤色または近赤外領域内の蛍光を提供する。これらの特定の蛍光タンパク質により、品質のより高い蛍光タンパク質のマップが得られる。というのは、光の可視スペクトルの赤色領域は、可視光の他の波長に比べて、生物組織内で、効率のより高い、深い貫通深さを有し、より波長の長いＮＩＲシステムより高い解像度を実現することができるからである。
【０１４４】
本発明の方法およびシステムは、（ＧＦＰのような）蛍光タンパク質を発現する腫瘍細胞と共に使用されたとき、腫瘍成長を研究し、転移形成を監視するために使用することができる。
【０１４５】
本発明の方法およびシステムは、特定の患者の標的治療に対して遺伝子送達および遺伝子療法の研究のために、ＧＦＰ発現腫瘍細胞およびＹＦＰ発現ウィルス細胞と共に使用することができる。
【０１４６】
また、本発明の方法およびシステムは、マッチング液を必要とすることなしに任意の幾何形状を撮像するためのアルゴリズムを使用する撮像モダリティを利用することができる。光伝播をモデル化する、また順問題を解くためのアルゴリズムは、上記のシステム実施形態のすべてに適用することができる。
【０１４７】
本発明の方法およびシステムは、可視光を使用したとき、近赤外（ＮＩＲ）光を使用する従来の断層撮影手法より高い空間解像度を実現することを理解されたい。
本発明の上述の実施形態によって提供される励起光と、得られた、発せられた蛍光は、連続波（ＣＷ）光、強度変調（ＩＭ）光、または時間分解（ＴＲ）光、あるいは両者の組合せとすることができる。本発明の方法およびシステムは、システムの力学（ｄｙｎａｍｉｃｓ）についての情報を、時間の関数として提供することができ、得られた画像は、磁気共鳴撮像（ＭＲＩ）、コンピュータ断層撮影イメージング（ＣＴ）、超音波または生物発光撮像など、別の撮像法によって得られた画像と相互見当合わせすることができる。
【０１４８】
この上述のシステムおよび方法は、比較的高い吸収係数（たとえば、＞０．３ｃｍ−１）を有する、すなわち拡散性である媒体内において、少なくとも４００ｎｍから７００ｎｍの可視波長範囲内で、生体内蛍光タンパク質の３次元断層撮影イメージングを可能にする、適切な正規化と組み合わされた修正拡散近似を使用する。この修正拡散近似は、より複雑な輸送方程式の使用を必要としない。したがって、その修正解により、計算効率が得られる。
【０１４９】
上述のいくつかの実施形態では、非接触の組織照明および／または非接触の受光が使用され、上述の見かけの光源および／または光検出器は、走査される標本から離隔される。他の実施形態では、見かけの光源および／または光検出器は、標本と実質的に接触して配置される。
【０１５０】
上述の方法およびシステムは、様々な異なる蛍光タンパク質を使用することによって、様々な生物学的プロセスおよび分子プロセスに適用することができる。たとえば、様々な実施形態では、蛍光タンパク質を使用し、腫瘍成長、転移形成、遺伝子発現、治療効果を監視することができる。さらに、本方法およびシステムを使用し、細胞より小さいレベルでの活性に関連する情報を非侵襲的に生み出すために、非侵襲性の全体（ｗｈｏｌｅ−ｂｏｄｙ）分子撮像を実現することができる。
【０１５１】
本発明の方法およびシステムにより、多数の疾病、たとえば癌、腫瘍成長、転移形成の基礎を形成する特定の分子および生物学的異常を見抜くことができる。また、本方法およびシステムを使用し、血管形成を撮像することができる。というのは、ヘモグロビンの高い吸収により、腫瘍細胞の蛍光背景に対して血管が対照をなすからである。さらに、本方法およびシステムを使用し、新規の標的療法の効力を分子レベルで評価することができる。次いでこれは、薬剤開発、薬剤試験、ならびに所与の患者において適切な療法や療法変更を選択することに対して影響を及ぼすことができる。さらに、本方法およびシステムは、生物系の手つかずの微環境における発症の研究を可能にする。さらに、本方法およびシステムは、新規の遺伝子送達戦略にとって有用である。本撮像方法およびシステムは、時間がかかる、また労力がかかる従来の基本的な科学技法の場合に現在可能であるものよりはるかに速く３次元情報を獲得することを可能にする。
【０１５２】
本発明の方法およびシステムは、癌、神経変性疾患、炎症性疾患、感染性疾患、および他の疾病を含む様々な疾病の管理（ｃｏｎｔｒｏｌ）および撲滅を促進するように設計された多種多様な生物学的、免疫学的療法、および遺伝子療法において、広範な応用例を有する。さらに、本方法およびシステムは、組み合わされた設定におけるシームレスな疾病検出および治療のために、広範な応用例を有する。
【０１５３】
本明細書で引用されている参照はすべて、それらの全体を参照により本明細書に組み込む。
本発明の好ましい諸実施形態について述べたので、いまや、それらの概念を組み込む他の実施形態を使用することができることが、当業者には明らかとなろう。したがって、これらの実施形態は、開示されている実施形態に限定するべきではなく、添付の特許請求の範囲の精神および範囲によってのみ限定するべきであると思われる。
【図面の簡単な説明】
【０１５４】
【図１】透光撮像を提供する光断層撮影用のシステムを示すブロック図である。
【図１Ａ】反射撮像を提供する光断層撮影用のシステムを示すブロック図である。
【図２】レーザ源、光ファイバ、光スイッチ、冷却ＣＣＤカメラ、イメージプロセッサを有する光断層撮影用のシステムを示すブロック図である。
【図３】一定の作動距離（ＷＤ）で平坦な光照射野を有する複数の見かけの光源を生成するために共に使用されるファイバカプラ、位置制御型ミラー、テレセントリックレンズを有する光スキャナのブロック図である。
【図４】本発明に従って断層撮影画像を提供するために使用されるプロセスを示す流れ図である。
【図５】図５は固有光（すなわち、標本に進入し出て行く見かけの光源からの励起光）を示す、図３の光スキャナによって提供される図１の３１本の見かけの光源に対応する一連の３１個の画像の図である。
【図５Ａ】は図５の固有光に応答して標本内の蛍光タンパク質から発せられた蛍光を示す、図３の光スキャナによって提供される図１の３１本の見かけの光源に対応する別の一連の３１個の画像の図である。
【図５Ｂ】は標本を通過していないが同質なスラブ（すなわち、ファントム）を通過した透過光を示す、図３の光スキャナによって提供される図１の３１本の見かけの光源に対応する別の一連の３１個の画像の図である。
【図６】図６は緑色蛍光タンパク質（ＧＦＰ）発現細胞を有するガラスバイアルが食道内に配置されたマウスの死骸の白色光画像が重ね合わされた蛍光画像の図である。
【図６Ａ】はガラスバイアルが図６のバイアルより大きい数の細胞を有する、緑色蛍光タンパク質（ＧＦＰ）発現細胞を有する別のガラスバイアルが食道内に配置されたマウスの死骸の白色光画像が重ね合わされた別の蛍光画像の図である。
【図７】平面撮像チャンバを有する光断層撮影用のシステムのブロック図である。
【図７Ａ】図７のシステム内で使用される撮像チャンバを示すブロック図である。
【図８】回転式平面撮像チャンバを有する光断層撮影用の代替システムのブロック図である。
【図８Ａ】図８のシステム内で使用することができる回転式平面撮像チャンバのブロック図である。
【図９】回転式円筒形撮像チャンバを有する光断層撮影用の別の代替システムのブロック図である。
【図１０】回転式円筒形撮像チャンバと、選択的に移動可能な見かけの光源とを有する光断層撮影用の別の代替システムのブロック図である。
【図１０Ａ】回転式円筒形撮像チャンバ、および複数の光源を示すブロック図である。
【図１１】見かけの光源のアレイを有する光走査ヘッドを有する光断層撮影用の別の代替システムのブロック図である。
【図１１Ａ】図１１に示されている光走査ヘッドのブロック図である。
【図１】
2007528500.tif 000025
【図１Ａ】
2007528500.tif 000026
【図２】
2007528500.tif 000027
【図３】
2007528500.tif 000028
【図４】
2007528500.tif 000029
【図５】
2007528500.tif 000030
【図５Ａ】
2007528500.tif 000031
【図５Ｂ】
2007528500.tif 000032
【図６】
2007528500.tif 000033
【図６Ａ】
2007528500.tif 000034
【図７】
2007528500.tif 000035
【図７Ａ】
2007528500.tif 000036
【図８】
2007528500.tif 000037
【図８Ａ】
2007528500.tif 000038
【図９】
2007528500.tif 000039
【図１０】
2007528500.tif 000040
【図１０Ａ】
2007528500.tif 000041
【図１１】
2007528500.tif 000042
【図１１Ａ】
2007528500.tif 000043
【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
蛍光タンパク質を中に有する標本に向かって励起光を投射するように適合された見かけの光源を備え、前記励起光が前記標本に進入し、前記標本内で固有光になり、前記固有光が、前記蛍光タンパク質からの蛍光を励起するように適合され、前記固有光または前記蛍光のうち少なくとも１つが可視波長範囲内の波長を有する光断層撮影用のシステム。
【請求項２】
前記固有光および前記蛍光が拡散性である、請求項１に記載のシステム。
【請求項３】
前記蛍光が、可視波長範囲内の波長を有する、請求項１に記載のシステム。
【請求項４】
前記蛍光が、可視波長範囲内の赤色部分の波長を有する、請求項１に記載のシステム。
【請求項５】
前記蛍光が、近赤外（ＮＩＲ）領域内の波長を有する、請求項１に記載のシステム。
【請求項６】
前記標本を出て行く前記固有光を受け取るように適合され、前記標本を出て行く前記蛍光を受け取るように適合され、前記受け取られた固有光を第１の画像情報に変換するようにさらに適合され、前記受け取られた蛍光を第２の画像情報に変換するようにさらに適合された光検出器と、
前記光検出器に結合され、光伝播モデルを生成するように適合されたイメージプロセッサであって、前記モデルが、拡散性媒体内での可視光伝播を予測するように適合され、さらに、前記イメージプロセッサが、前記第１の画像情報と前記第２の画像情報と前記光伝播モデルとを組み合わせるように適合され、前記蛍光タンパク質の断層撮影画像を提供するようにさらに適合された、イメージプロセッサとをさらに含む、請求項１に記載のシステム。
【請求項７】
前記イメージプロセッサが、前記固有光または前記蛍光のうち少なくとも１つに関連する、前記可視光伝播に従って選択された修正拡散係数を有する拡散方程式を使用する拡散方程式プロセッサを含む、請求項６に記載のシステム。
【請求項８】
前記光検出器が、標本に対する複数の光路上で前記固有光および蛍光を受け取るように選択的に移動可能である、請求項６に記載のシステム。
【請求項９】
標本に対する複数の光路上で、前記光検出器に前記固有光および蛍光を送るための光スキャナをさらに含む、請求項６に記載のシステム。
【請求項１０】
前記見かけの光源が、前記標本に向かって複数の光路上で前記励起光を導くように前記見かけの光源を選択的に移動するための光誘導デバイスを含む、請求項１に記載のシステム。
【請求項１１】
前記光誘導デバイスが、前記標本に向かって前記複数の光路を提供するように前記見かけの光源を選択的に移動するための光スイッチを含む、請求項１０に記載のシステム。
【請求項１２】
前記光誘導デバイスが、前記標本に向かって前記複数の光路を提供するように前記見かけの光源を選択的に移動するための、移動可能なミラーを含む、請求項１０に記載のシステム。
【請求項１３】
前記光誘導デバイスが、前記見かけの光源を、少なくとも１つの見かけの光源並進軸に沿って並進して選択的に移動するように適合される、請求項１０に記載のシステム。
【請求項１４】
前記標本が、前記標本に対する複数の光路上で前記励起光を提供するように選択的に移動可能である、請求項１に記載のシステム。
【請求項１５】
前記標本が、標本回転軸の周りで回転して選択的に移動可能である、請求項１４に記載のシステム。
【請求項１６】
前記標本が、少なくとも１つの標本並進軸に沿って並進して選択的に移動可能である、請求項１４に記載のシステム。
【請求項１７】
前記標本が、標本回転軸の周りで回転して選択的に移動可能であり、前記標本が、少なくとも１つの標本並進軸に沿って並進して選択的にさらに移動可能である、請求項１４に記載のシステム。
【請求項１８】
前記見かけの光源が、前記標本に向かって複数の光路上で前記励起光を導くように前記見かけの光源を選択的に移動するための光誘導デバイスを含み、前記標本が、前記標本に対する複数の光路上で前記励起光を提供するように選択的に移動可能である、請求項１に記載のシステム。
【請求項１９】
前記固有光が、徹照光として前記標本を通過する、請求項１に記載のシステム。
【請求項２０】
前記固有光が、反射光として前記標本から反射する、請求項１に記載のシステム。
【請求項２１】
光断層撮影の方法であって、蛍光タンパク質を中に有する標本に向かって励起光を投射するように適合された見かけの光源を用いて励起光を生成するステップを含み、前記励起光が前記標本に進入し、前記標本内で固有光になり、前記固有光が、前記蛍光タンパク質からの蛍光を励起するように適合され、前記固有光または前記発せられた光のうち少なくとも１つが可視波長範囲内の波長を有する方法。
【請求項２２】
前記固有光および前記蛍光が拡散性である、請求項２１に記載の方法。
【請求項２３】
前記蛍光が、可視波長範囲内の波長を有する、請求項２１に記載の方法。
【請求項２４】
前記蛍光が、可視波長範囲内の赤色部分の波長を有する、請求項２１に記載の方法。
【請求項２５】
前記蛍光が、近赤外（ＮＩＲ）領域内の波長を有する、請求項２１に記載の方法。
【請求項２６】
）
前記標本を出て行く前記固有光を受け取るステップと、
前記標本を出て行く前記蛍光を受け取るステップと、
前記受け取られた固有光を第１の画像情報に変換するステップと、
前記受け取られた蛍光を第２の画像情報に変換するステップと、
拡散性媒体内での可視光伝播を予測するように適合されたモデルを生成するステップと、
前記蛍光タンパク質の断層撮影画像を提供するように、前記第１の画像情報と前記第２の画像情報と前記モデルとを組み合わせるステップとをさらに含む、請求項２１に記載の方法。
【請求項２７】
前記固有光を受け取る前記ステップおよび前記蛍光を受け取る前記ステップが、標本に対する複数の光路上で前記固有光および蛍光を受け取るように適合された選択的に移動可能な光検出器で前記固有光を受け取るステップと、前記蛍光を受け取るステップとを含む、請求項２６に記載の方法。
【請求項２８】
前記モデルが、前記固有光または前記蛍光のうち少なくとも１つに関連する、前記可視光伝播に従って選択された修正拡散係数を有する拡散方程式に対する解に従って生成される、請求項２６に記載の方法。
【請求項２９】
前記標本に向かって複数の光路上で前記励起光を導くように前記見かけの光源を選択的に移動するステップをさらに含む、請求項２１に記載の方法。
【請求項３０】
前記見かけの光源が、前記見かけの光源を選択的に移動するための光スイッチを含む、請求項２９に記載の方法。
【請求項３１】
前記見かけの光源が、前記見かけの光源を選択的に移動するための、選択的に移動可能なミラーを含む、請求項２９に記載の方法。
【請求項３２】
前記見かけの光源を選択的に移動する前記ステップが、少なくとも１つの見かけの光源並進軸に沿って並進して、前記見かけの光源を選択的に移動するステップを含む、請求項２９に記載の方法。
【請求項３３】
標本に対する複数の光路上で前記励起光を提供するように、前記標本を選択的に移動するステップをさらに含む、請求項２１に記載の方法。
【請求項３４】
前記標本を選択的に移動する前記ステップが、標本回転軸の周りで回転して、前記標本を選択的に移動するステップを含む、請求項３３に記載の方法。
【請求項３５】
前記標本を選択的に移動する前記ステップが、少なくとも１つの標本並進軸に沿って並進して、前記標本を選択的に移動するステップを含む、請求項３３に記載の方法。
【請求項３６】
前記標本を選択的に移動する前記ステップが、
標本回転軸の周りで回転して、前記標本を選択的に移動するステップと、
少なくとも１つの標本並進軸に沿って並進して、前記標本を選択的に移動するステップとを含む、請求項３３に記載の方法。
【請求項３７】
前記標本に向かって複数の光路上で前記励起光を導くように前記見かけの光源を選択的に移動するステップと、
前記標本に対する別の複数の光路上で前記励起光を提供するように前記標本を選択的に移動するステップとをさらに含む、請求項２１に記載の方法。
【請求項３８】
前記固有光が、徹照光として前記標本を通過する、請求項２１に記載の方法。
【請求項３９】
前記固有光が、反射光として前記標本から反射する、請求項２１に記載の方法。
【請求項４０】
標本に向かって複数の光路を導くように見かけの光源を選択的に移動するための、少なくとも１つの選択的に移動可能な構成要素を備える光断層撮影用のシステム。
【請求項４１】
前記選択的に移動可能な構成要素が、少なくとも１つの選択的に移動可能なミラーを含む、請求項４０に記載のシステム。
【請求項４２】
前記選択的に移動可能な構成要素が、選択的に移動可能な構造を含む、請求項４０に記載のシステム。
【請求項４３】
前記選択的に移動可能な構造に結合された光ファイバをさらに含む、請求項４２に記載のシステム。
【請求項４４】
前記固有光または前記発せられた光のうち少なくとも１つが、前記標本を介して、少なくとも０．５ｍｍの距離を伝播する、請求項１に記載のシステム。
【請求項４５】
前記固有光または前記発せられた光のうち少なくとも１つが、前記標本を介して、少なくとも０．５ｍｍの距離を伝播する、請求項２１に記載の方法。
【国際調査報告】
2007528500.tif 000044
2007528500.tif 000045
2007528500.tif 000046
2007528500.tif 000047
2007528500.tif 000048